(57)【要約】【課題】鞄用把手を１つの部品で構成し、充分な強度を持たせて、コストと手間を削減する。【解決手段】把持部１と取付部２と把手端部４を、熱可塑性エストラマで一体に構成する。把手端部４の内側に、両端側から中央側に向かうＵ字形の間隙部５を形成して、舌状の取付部２を構成する。取付部２を鞄の外周面に取り付ける。把持部１を手に持って持ち上げると、把手端部４を介して、取付部２に力が加わり、取付部２が多少変形する。取付部２が変形した状態で鞄が持ち上がる。把持部１と鞄の外周面との間が広くなるので、手で持ち易くなる。鞄を置いて手を離すと、取付部２の変形は元に戻る。不使用時には、把持部１が鞄の外周面に近づくので、鞄用把手が邪魔にならない。【選択図】図１
2011078439.tif 000002
【特許請求の範囲】
【請求項１】
把手中央部にある把持部と、前記把持部の両端にある把手端部と、前記把手端部にある取付部とが、熱可塑性エストラマで一体に形成されており、前記取付部は、前記把手端部からＵ字形の間隙部で分離されていて、前記把手端部の両端側から中央側に向かって延びる舌状部分であり、把手を鞄の外周面に取り付けるための取付穴を有することを特徴とする鞄用把手。
【請求項２】
前記把手端部と前記取付部は、把手の不使用時には同一平面上にあり、把手の使用時には松葉状に開くことを特徴とする請求項１記載の鞄用把手。
【発明の詳細な説明】
【技術分野】
【０００１】
本発明は、鞄用把手に関し、特に、鞄本体への取付けが容易で低コストの鞄用把手に関する。
【背景技術】
【０００２】
従来、把手を鞄に取り付ける際には、複数の部品を組み合わせて鞄にねじや鋲で留めていた。しかし、この方法では、取付けに手間がかかるので、把手を簡単に取り付ける方法が種々考案されている。以下に、これに関する従来技術の例をいくつかあげる。
【０００３】
特許文献１に開示された「手提筐」は、蓋に提手を取り付けた竹籠の手提筐である。図４（ａ）に示すように、箱体に、蓋部が開閉自在に取り付けられている。蓋部の上面に、提手が、取付部で回動自在に取り付けられている。提手は、環状に形成した金属芯線に弾条体を巻いたものである。弾条体は、金属線を螺旋状に巻いたものである。取付部も、金属芯線に弾条体を巻いたものである。提手と取付部は強靭で弾力性があり、丈夫で破損のおそれがなく、体裁と手触りがよい。
【０００４】
特許文献２に開示された「手提鞄の把手構造」は、手提鞄の覆い蓋部に設けられる把手の構造である。図４（ｂ）に示すように、帯状鋼板で形成された芯板の断面を、円弧状に湾曲させる。芯板の円弧が上向きになるように、筒状の皮革材で包んで、握り部を構成する。筒状の皮革材の握り部の両端の延長片部を垂下させて、鞄本体の覆い蓋部の上に重ねる。押え板の端縁が、握り部の端部より内側となるように、延長片部の上に押え板を重ねる。抑え板と延長片部と覆い蓋部とを、鋲止めして取り付ける。不使用時には、把手が覆い蓋部に扁平状に接している。作用時には上方へ引上げられて使用される。不使用時に邪魔にならず、使い易く、見栄えを損なうこともない。
【先行技術文献】
【特許文献】
【０００５】
【特許文献１】実公昭27-001587号公報
【特許文献２】実開昭59-006929号公報
【発明の開示】
【発明が解決しようとする課題】
【０００６】
しかし、従来の把手では次のような問題がある。複数の部品で構成するものでは、コストと組立ての手間がかかる。１つの部品で構成するものでは、強度が十分ではない。
【０００７】
本発明の目的は、上記従来の問題を解決して、１つの部品で構成しながら、充分な強度を持たせて、コストと組立ての手間を削減することである。
【課題を解決するための手段】
【０００８】
上記の課題を解決するために、本発明では、鞄用把手を、把手中央部にある把持部と、把持部の両端にある把手端部と、把手端部にある取付部とが、熱可塑性エストラマで一体に形成されており、取付部は、把手端部からＵ字形の間隙部で分離されていて、把手端部の両端側から中央側に向かって延びる舌状部分であり、把手を鞄の外周面に取り付けるための取付穴を有する構成とした。また、把手端部と取付部は、把手の不使用時には同一平面上にあり、把手の使用時には松葉状に開くようになっている。
【発明の効果】
【０００９】
上記のように構成したことにより、充分な強度を持たせて、コストと組立ての手間を削減できる。また、不使用時には、把手が邪魔にならない。
【図面の簡単な説明】
【００１０】
【図１】本発明の実施例における鞄用把手の概念図である。
【図２】本発明の実施例における鞄用把手の使用時の概念図である。
【図３】本発明の実施例における鞄用把手の厚さの説明図である。
【図４】従来の把手の概念図である。
【発明を実施するための形態】
【００１１】
以下、本発明を実施するための最良の形態について、図１〜図３を参照しながら詳細に説明する。
【実施例】
【００１２】
本発明の実施例は、把持部と取付部を熱可塑性エストラマで一体に構成し、両端側から内側に向かって形成した舌状の取付部を鞄の外周面に取り付ける鞄用把手である。
【００１３】
図１に、鞄用把手の不使用時の概念図を示す。図１（ａ）は、鞄用把手を斜めに置いて斜め上方から見た斜視図である。図１（ｂ）は、鞄用把手を横方向に置いて斜め上方から見た斜視図である。図１（ｃ）は、鞄用把手を横方向に置いて真上から見た平面図である。図１（ｄ）は、鞄用把手を横方向に置いて真横から見た側面図である。
【００１４】
図２に、鞄用把手の使用時の概念図を示す。図２（ａ）は、斜めに置いた鞄に取り付けられた鞄用把手を持ち上げて斜め上方から見た斜視図である。手は省略してある。図２（ｂ）は、横に置いた鞄に取り付けられた鞄用把手を持ち上げて斜め上方から見た斜視図である。鞄と手は省略してある。図２（ｃ）は、横に置いた鞄に取り付けられた鞄用把手を持ち上げて真横から見た側面図である。鞄と手は省略してある。
【００１５】
図３に、鞄用把手の厚さの変化を示す。図３（ａ）は、鞄用把手の不使用時の状態を示す平面図である。図３（ｂ）は、鞄用把手の不使用時の状態を示す側面図である。図３（ｃ）は、鞄用把手の使用時の状態を示す側面図である。手は省略してある。
【００１６】
図１〜図３において、把持部１は、熱可塑性エストラマで構成した手で持つ部分である。取付部２は、把持部の両端の内側に両端から内側に向かうＵ字形の間隙部を形成して、把持部と一体の舌状に構成したもので、鞄用把手を鞄の外周面に取り付ける部分である。取付穴３は、鋲などを通す穴である。把手端部４は、把持部の両端にあって、Ｕ字形の間隙部で取付部が分離されている部分である。間隙部５は、取付部を把手端部から分離するＵ字形の間隙部である。
【００１７】
上記のように構成された本発明の実施例における鞄用把手の機能と動作を説明する。最初に、図１を参照しながら、鞄用把手の概要を説明する。把持部１と取付部２と把手端部４を、熱可塑性エストラマで一体に構成する。合成ゴムや皮革などは、強度や弾性などの点で不適当である。把持部１の両端の把手端部４の内側に、両端側から中央側に向かうＵ字形の間隙部５を形成して、舌状の取付部２を構成する。取付部２を、取付穴３を使って鞄の外周面に取り付ける。把手端部４と取付部１は、把手の不使用時には同一平面上にあり、把手の使用時には松葉状に開く。
【００１８】
図１（ａ）に示すように、把持部１は、ほぼ水平で、幅がやや狭く太くなっている。鞄用把手の両端の把手端部４は、幅がやや広く薄くなっている。把手端部４の内側には、両端側から中央側に向かって取付部２が水平に形成されている。図１（ｂ）に示すように、把持部１は、手で持ちやすいように、中央部が厚くなっている。図１（ｃ）に示すように、Ｕ字形の間隙部５は、取付部２の外周に沿った形に形成されている。図１（ｄ）に示すように、把持部１の下面と取付部２全体は、水平になっている。この状態で、取付部２の取付穴３に鋲などを通して、鞄用把手を鞄の外周面に取り付けるので、取付作業が非常に簡単になる。
【００１９】
次に、図２を参照しながら、鞄用把手の使用時の状態を説明する。把持部１を手に持って持ち上げると、把持部１の両端の把手端部４を介して、取付部２に力が加わり、把手端部４と取付部２が多少変形する。取付部２が変形した状態で鞄が持ち上がる。取付部２の弾力により、鞄の衝撃が手に直接加わることはない。把持部１と鞄の外周面との間が広くなるので、手で持ち易くなる。鞄を置いて手を離すと、取付部２の変形は元に戻る。不使用時には、把持部１が鞄の外周面に近づくので、鞄用把手が邪魔にならない。
【００２０】
図２（ａ）に示すように、把持部１を持ち上げると、鞄用把手の両端の把手端部４と取付部２が変形する。図２（ｂ）に示すように、把持部１はほとんど変形しないので、持ちにくくなることはない。図２（ｃ）に示すように、鞄用把手の両端の把手端部４を介して取付部２を支持しているので、接続部品などがなくても、弾性的なヒンジの機能を果たすことができる。熱可塑性エストラマを使用しているので、充分な強度と弾性があり、取付部２と把手端部４との境が荷重で損傷されることはない。把手の不使用時には、把手端部４と取付部１は同一平面上にあるので、従来のＣ字状の両端部よりも薄くできる。把手の使用時には松葉状に開くので、手で持つための余裕が充分にできる。
【００２１】
次に、図３を参照しながら、鞄用把手の不使用時の厚さを薄くする方法について説明する。不使用時に鞄用把手が邪魔にならないように、把持部１をできるだけ薄くする。図３（ａ）に示すように、鞄用把手の不使用時には、把手の全体が平らに近くなって、鞄の外周面に張り付いたようになる。図３（ｂ）に示すように、不使用時の膨らみは、最大で把持部１の厚さとなる。把手を使用する際には、把持部１をつかんで持ち上げる。図３（ｃ）に示すように、把持部１を持ち上げると、把持部１と把手端部４と取付部２が弾性変形して、把持部１と取付部２の間隔が開くので、手で持ちやすくなる。不使用時における把持部１の鞄外周面からの高さは、鞄の種類や使用目的などに応じて、適当な高さになるように設定する。不使用時の厚さをできるだけ薄くしたい場合は、持ち易さを犠牲にしても把持部１を極力薄くする。
【００２２】
この例では、取付部２を把手端部４の内側に形成したが、取付部２を把手端部４の外側に２つずつ形成して、Ｅ字形の真ん中の部分を把持部１に接続するように構成してもよい。可撓性の熱可塑性エストラマの代わりに、同等以上の強度と弾性の素材を利用してもよい。
【００２３】
上記のように、本発明の実施例では、鞄用把手を、把持部と取付部を熱可塑性エストラマで一体に構成し、両端側から内側に向かって形成した舌状の取付部を鞄の外周面に取り付けるように構成したので、充分な強度を持たせて、コストと組立ての手間を削減できる。また、不使用時の厚さを薄くできる。
【産業上の利用可能性】
【００２４】
本発明の鞄用把手は、種々の鞄の把手として最適である。また、各種のケースの把手としても好適である。
【符号の説明】
【００２５】
１  把持部
２  取付部
３  取付穴
４  把手端部
５  間隙部
【図１】
2011078439.tif 000003
【図２】
2011078439.tif 000004
【図３】
2011078439.tif 000005
【図４】
2011078439.tif 000006